(57)【要約】  【課題】  折り畳み式の携帯電話において、無駄に消費エネルギーを消費することなく、利用者の利用状況に応じた汚れ状態を仮想し、自動的かつ効率的に紫外線を放射することができる、抗菌機能を有する携帯電話の提供を課題とする。  【解決手段】  通話履歴と紫外線を放射した日付を管理し、管理されている最終放射日付からの通話時間を算出することにより、算出された通話時間が予め定められた所定時間を超えている場合には、紫外線を放射する携帯電話を構築した。【選択図】図１
2010034752.tif 000002
【特許請求の範囲】
【請求項１】
表示部と本体操作部が回動可能な折り畳み式の携帯電話において、携帯電話の通話履歴を管理する通話履歴管理手段と、当該携帯電話の折り畳み時にその対抗面に、抗菌作用のある紫外線を放射する紫外線放射手段と、当該紫外線を放射した日付を管理する放射履歴管理手段と、当該放射履歴に記録されている最終放射日付からの通話時間を、前記管理された通話履歴から算出する通話時間算出手段と、当該算出された通話時間が、予め定められた所定時間を超えている場合には、前記紫外線放射手段をもって、紫外線を放射するように制御する放射制御手段が設けられていることを特徴とする抗菌機能を有する携帯電話。
【発明の詳細な説明】
【技術分野】
【０００１】
本発明は、自動的に抗菌処理を行うことができる携帯電話に関する。
【背景技術】
【０００２】
近年、携帯電話を所有している人は、約６５％となり、今では３人に２人が携帯電話を使用していることになる。この携帯電話の普及により、利用者は過去の供用電話の様に他の利用者を気にして通話することなく、長時間通話することが可能となった。よって、携帯電話を長時間の使用する機会が増え、それに比例し電話番号や受信したメールを表示する表示部や、マイクロホン周辺の操作部が汚れ、利用者によりこまめなクリーニングが必要になる。このような問題に対して、特許文献１では、折り畳み式の携帯電話の表示部と操作部に紫外線発光ダイオードを設け、携帯電話が折り畳まれた状態に移行してから所定時間、殺菌効果のある紫外線を放射する技術が開示されている。また、特許文献２では、携帯情報端末の充電池の残容量に応じて、発光ダイオードの発光強度を調整し、充電池の充電終了時間に合わせ携帯情報端末を、防臭、抗菌する電子機器充電システムが開示されている。
【特許文献１】特開２００６−１５７３８１号公報
【特許文献２】特開２００４−１１２９８０号公報
【発明の開示】
【発明が解決しようとする課題】
【０００３】
しかしながら、特許文献１は、折り畳み式の携帯電話が折り畳まれた状態か否かのみに応じて、殺菌効果のある紫外線を放射するか否かを決定するため、実際には抗菌や殺菌の必要のない場合でも、携帯電話が折り畳まれる毎に、無造作に紫外線を放射することになる。したがって、限られた起電力の中で無駄な消費エネルギーを消費することになる。また、特許文献２の電子機器充電システムは、充電池の充電終了時間に合わせ、携帯情報端末に紫外線を放射するものであり、実際に利用者が通話したことによる汚れ具合などを考慮し、抗菌や殺菌を行うものではなく、充電の度に無造作に紫外線が放射されるため、これも特許文献１と同様に、無駄な消費エネルギーを消費することになる。また、そもそも、この特許文献２では、携帯電話自体に抗菌機能がないため、充電作業の他で抗菌処理を行うことができないという欠点もある。そこで、本発明では、折り畳み式の携帯電話において、無駄に消費エネルギーを消費することなく、利用者の利用状況に応じた汚れ状態を仮想し、自動的かつ効率的に紫外線を放射することができる、抗菌機能を有する携帯電話の提供を課題とする。
【課題を解決するための手段】
【０００４】
上記課題を鑑み、本発明の抗菌機能を有する携帯電話とは、折り畳み時に表示部と本体操作部を含む対抗面に、抗菌作用のある紫外線を放射する携帯電話であって、通話履歴と紫外線を放射した日付を管理し、管理されている最終放射日付からの通話時間を算出することにより、算出された通話時間が予め定められた所定時間を超えている場合には、紫外線を放射することにより上記課題を解決した。
【０００５】
すなわち、本発明の抗菌機能を有する携帯電話とは、表示部と本体操作部が回動可能な折り畳み式の携帯電話において、携帯電話の通話履歴を管理する通話履歴管理手段と、当該携帯電話の折り畳み時にその対抗面に、抗菌作用のある紫外線を放射する紫外線放射手段と、当該紫外線を放射した日付を管理する放射履歴管理手段と、当該放射履歴に記録されている最終放射日付からの通話時間を、前記管理された通話履歴から算出する通話時間算出手段と、当該算出された通話時間が、予め定められた所定時間を超えている場合には、前記紫外線放射手段をもって、紫外線を放射するように制御する放射制御手段が設けられていることを特徴とする。
【発明の効果】
【０００６】
本発明の抗菌機能を有する携帯電話とは、抗菌作用のある紫外線を放射した最終放射日付からの通話時間を算出し、予め定められた所定時間を超えている場合に限り、携帯電話に紫外線を放射するため、従来のように、携帯電話が折り畳まれる毎に、あるいは、携帯電話を充電するタイミング毎に、無造作に紫外線を放射するのではなく、通話時間という利用者が実際に携帯電話を利用した利用状況をもとに汚れ状態を仮想して適宜に紫外線を放射することで、無駄に消費エネルギーを消費することなく、自動的かつ効率的に携帯電話を衛生的に保てるといった効果を奏する。
【発明を実施するための最良の形態】
【０００７】
以下に、本発明の携帯電話について最適な実施例を挙げ、先ず、図１に示す本携帯電話の主要構成部のブロック構成図について説明する。
【０００８】
図１は、本発明の携帯電話（１）の主要構成部のブロック構成図である。具体的には、携帯電話（１）は、各種機能手段および各管理テーブルを記録するフラッシュメモリ（２）から構成されており、先ず、少なくとも利用者が成した通話時間とその日付を、通話履歴管理手段（３）を用いて、フラッシュメモリ（２）の通話履歴管理テーブル（Ｔ１）に記録して管理し、放射履歴管理手段（５）は、放射履歴管理テーブル（Ｔ２）に、後述する紫外線放射手段（４）を用いて当該携帯電話（１）の折り畳み時の対抗面に紫外線を放射した放射日付を記録して管理する。そして、これら放射履歴管理テーブル（Ｔ２）に管理されている最終放射日付と通話履歴管理テーブル（Ｔ１）に記録されている通話履歴から、その最終放射日付からの通話時間を通話時間算出手段（６）にて算出し、これを通話時間管理テーブル（Ｔ３）に記録した後に、算出された通話時間が、予め利用者が設定した通話時間を超えている場合には、放射制御手段（７）は、紫外線放射手段（４）を制御して紫外線の放射を行う。なお、上記実施例では、最終放射日付からの通話時間を通話時間管理テーブル（Ｔ３）にて一時的に記録するものであるが、本発明はこれに限定されず、単純に、算出値のみを積算更新するものであっても構わない。
【０００９】
次に、図２に示す本携帯電話の外部構成図について説明する。
【００１０】
図２は、本携帯電話の外部構成図を示すものであり、本発明の携帯電話（１）は、表示部（ｐ１）と本体操作部（ｐ２）が回動可能な折り畳み式の携帯電話である。この携帯電話（１）の表示部（ｐ１）と本体操作部（ｐ２）の周縁部には、抗菌機能を有する紫外線を出力する発光ダイオードがそれぞれ数箇所設けられており、携帯電話本体が折り畳まれた場合には、対向する部分の発光ダイオード（例えば表示部であれば本体操作部の発光ダイオード（ｐ４）、本体操作部であれば表示部の発光ダイオード（ｐ３））を発光させるが、この抗菌機能のある紫外線とは、例えば、波長３２０〜４００ｎｍ内の任意の周波数を有するものである。なお、本実施例では、紫外線が放射される対向面には、予め抗菌機能を有する薄膜が形成されており、この薄膜とは一般的に知られているもので良く、例えば光触媒反応を生じる半導体である、二酸化チタム、酸化亜鉛、硫化カドミウム、硫化亜鉛などの微粒子がコーディングされてなるものであり、放射された紫外線により抗菌機能が活性化するものである。
【００１１】
次に、図３に示す通話履歴管理および放射履歴管理テーブルの概略図について説明する。
【００１２】
図３（ａ）通信履歴管理テーブルの概略図とは、携帯電話の通話履歴を示したものであり、この通信履歴管理テーブル（Ｔ１）の構成要件として、通話履歴の管理番号を示す「管理番号」フィールド（ｆ１）と、通話した日付を示す「日付」フィールド（ｆ２）と、利用者が通話した時刻の開始と終了を示す「時刻」フィールド（ｆ３）と、これにもとづき利用者が実際に通話した時間を示す「通話時間」フィールド（ｆ４）から構成されている。
【００１３】
そして、次に図３（ｂ）放射履歴管理テーブルの概略図とは、フラッシュメモリに記録されている携帯電話に紫外線を放射した履歴を示すものであり、この放射履歴管理テーブル（Ｔ２）の構成要件として、放射履歴の管理番号を示す「管理番号」フィールド（ｆ１）と、紫外線を放射した日付を示す「放射日付」フィールド（ｆ２）から構成されている。
【００１４】
次に、図４に示す、通話時間管理テーブルの概略図について説明する。
【００１５】
図４の（１）通話時間管理テーブルの概略図とは、前記通信履歴管理テーブル（Ｔ１）と放射履歴管理テーブル（Ｔ２）を参照し、放射履歴管理テーブル（Ｔ２）に記録されている最終放射日付からの通話時間を算出したものであり、この通話時間管理テーブル（Ｔ３）の構成要件として、携帯電話に最後に紫外線を放射した日付を示す「最終放射日付」フィールド（ｆ１）と、利用者が予め設定した、紫外線の放射を開始するまでの通話時間を示す「放射開始通話時間」フィールド（ｆ２）と、最終放射日付からの通話時間の管理番号を示す「管理番号」フィールド（ｆ３）と、通話した日付を示す「日付」フィールド（ｆ４）と、通話時間を示す「通話時間」フィールド（ｆ５）と、最終放射日付から積算した通話時間を示す「積算通話時間」フィールド（ｆ６）から構成されており、本実施例では、放射開始時間を１８０分（３時間）としており、積算した通話時間が１８０分以上、すなわち、「管理番号７」の通話終了後、当該携帯電話を折り畳んだ時点で、抗菌作用のある紫外線を放射することになる。なお、本実施例では、放射開始通話時間は、利用者により設定されているが、予め、設定されている放射開始通話時間後に、紫外線を放射しても構わない。
【００１６】
次に、図５に示す、紫外線放射開始処理を時系列に示す図について説明する。
【００１７】
図５は、携帯電話への紫外線放射開始処理を時系列に示したものであり、（１）１８０分以上の通話した時の紫外線放射開始処理を例示してものである。先ず、前処理として、予め、利用者により、紫外線を放射するまでの通話時間を「１８０分」と設定する。（Ｓ１）その後、ある「通話Ａ」までに積算された通話時間が１００分（Ｓ２）、さらに、ある「通話Ｂ」までに積算された通話時間が１６５分（Ｓ３）、また、ある「通話Ｃ」までに積算された通話時間が１７５分（Ｓ４）、ここまでは通話終了時に携帯電話を折り畳んでも何事も起きない。しかしながら、ある「通話Ｄ」にて、その積算された通話時間が１９０分となった場合には（Ｓ５）、すなわち、予め利用者が設定した通話時間の１８０分を超えた場合には、その終了時に携帯電話を折り畳むと、抗菌作用のある紫外線がその対抗面に放射される。（Ｓ６）そして、紫外線放射後は積算した通話時間がリセットされて、通話時間が０分となり（Ｓ７）、新たに通話された「通話Ｅ」からそれまでの通話時間２０分が記録される。（Ｓ８）上記同様に、通話時間が１８０分を超えた後に携帯電話を折り畳むと紫外線が放射される処理が繰り返される。（Ｓ９）
【００１８】
最後に、紫外線放射処理を示すフローについて説明する。
【００１９】
図６は、携帯電話の通話履歴を参照してから、携帯電話に紫外線を放射するまでの流れを示したものであり、各通話の終了毎に発生する処理のフローである。通話が終了すると、先ず、利用者が通話した後に記録される通話履歴を参照し（Ｓ１）、次に携帯電話の紫外線を放射した放射履歴を参照（Ｓ２）する。そして、最終放射日付からの通話時間を算出し（Ｓ３）、算出された通話時間は、予め設定された所定時間を超えているか否かが判定され（Ｓ４）、設定した通話時間を超えている場合には、携帯電話に抗菌作用のある紫外線を放射する（Ｓ５）。そして、紫外線の放射終了後は、放射した日付を記録する（Ｓ６）と共に、通話時間がリセットされる。（Ｓ７）
【００２０】
以上の如く、本発明の抗菌機能を有する携帯電話とは、抗菌作用のある紫外線を放射した最終放射日付からの通話時間を算出し、予め定められた所定時間を超えている場合に限り、携帯電話に紫外線を放射するため、通話時間という利用者が実際に携帯電話を利用した利用状況をもとに汚れ状態を仮想して適宜に紫外線を放射することが可能となる。
【図面の簡単な説明】
【００２１】
【図１】本携帯電話の主要構成部のブロック構成図
【図２】本携帯電話の外部構成図
【図３】通話履歴および放射履歴管理テーブルの概略図
【図４】通話時間管理テーブルの概略図
【図５】紫外線放射開始処理を時系列に示す図
【図６】紫外線放射処理を示すフロー
【符号の説明】
【００２２】
１           携帯電話
２           フラッシュメモリ
３           通話履歴取得手段
４           紫外線放射手段
５           放射履歴管理手段
６           通話時間算出手段
７         
放射制御手段
Ｔ１         通話履歴管理テーブル
Ｔ２         放射履歴管理テーブル
Ｔ３         通話時間管理テーブル
【図２】
2010034752.tif 000003
【図３】
2010034752.tif 000004
【図４】
2010034752.tif 000005
【図６】
2010034752.tif 000006
【図１】
2010034752.tif 000007
【図５】
2010034752.tif 000008